(57)【要約】【課題】洗面ボウルの内面やバックガード等に付着した髪の毛を一時に流し去り、また、洗髪の際の汚れを含むシャンプーの泡等を洗浄することのできる洗浄機能付き洗面ボウル台を提供する。【解決手段】ボウル部１と洗浄部とからなる洗浄機能付き洗面ボウル台であって、該洗浄部は上記ボウル部１の背面部に連設されるバックガード４の上部に一体的に取付けられた噴出部５と該噴出部５から噴出する洗浄水を制御する制御弁とからなり、洗浄水は上記バックガード４の表面に向けて噴出され、流下する洗浄水はバックガード４を洗浄し、さらに流下してボウル部１の内面を洗浄する洗浄機能付き洗面ボウル台Ａ。好ましくは、上記ボウル部１の背面部に連設されるバックガード４の下部には複数のリブ７が突設される。【選択図】図１
2009100907.tif 000002
【特許請求の範囲】
【請求項１】
ボウル部と洗浄部とからなる洗浄機能付き洗面ボウル台であって、該洗浄部は上記ボウル部の背面部に連設されるバックガードの上部に一体的に取付けられた噴出部と該噴出部から噴出する洗浄水を制御する制御弁とからなり、洗浄水は上記バックガードの表面に向けて噴出され、流下する洗浄水はバックガードを洗浄し、さらに流下してボウル部の内面を洗浄する洗浄機能付き洗面ボウル台。
【請求項２】
上記ボウル部はその前縁部が手前に膨出して設けられるとともに、左右には各々側縁部が立ち上げて設けられ、後側はカウンター部とされた請求項１に記載の洗浄機能付き洗面ボウル台。
【請求項３】
上記ボウル部の背面部に連設されるバックガードの下部には複数のリブが突設された請求項１に記載の洗浄機能付き洗面ボウル台。
【請求項４】
上記複数のリブの左右外側の各リブは、流下する洗浄水を拡散させるため、ハの字を描くように斜め外方に傾斜して設けられた請求項３に記載の洗浄機能付き洗面ボウル台。
【請求項５】
上記噴出部には複数の噴出孔が内設されるとともに、上記制御弁がフラッシュバルブである請求項１に記載の洗浄機能付き洗面ボウル台。
【発明の詳細な説明】
【技術分野】
【０００１】
本発明は、洗面ボウルに関し、さらに詳しくは、ボウル部内面に付着した髪の毛や手洗いの際の汚れた泡等を、簡単に洗浄できる機能を有する洗面ボウル台に関するものである。
【背景技術】
【０００２】
近年、洗面化粧台が大型化するとともに、洗面ボウルは単に手洗いや、洗顔用のみならず洗髪にも用いられ、清潔志向が進むにつれて洗髪のための使用頻度が増しつつある。上記洗面ボウルで洗髪する際、かなりの量の髪の毛が抜け落ちて洗面ボウルの表面に付着したとき、そのまま放置しておくと不快であり、また、洗髪の際使用したシャンプーの泡等が洗面ボウルのみならず、カウンター面に飛び散り、不潔で見た目が悪いという問題がある。ぐるり
上記した問題点を解決するために、例えば、特開平８−１２６５１６号公報には、ボウル洗浄機能付洗髪台が開示されている。このボウル洗浄機能付洗髪台は、本願図５に側面断面図に示すように、オーバーフロー孔３１ａを備えたボウル３ａの上面４ａは平たい面であり、シャワー１ａや、シャワー１ａのオン−オフ用バルブ２ａ等が設置され、ボウル３ａの上面４ａと内面（凹面）８ａとの境であるボウル３ａの上縁６ａの直下には、この上縁６ａに沿って流路７ａでつながっている吐水口５ａが開けられ、流路７ａは、長い空洞であって、ボウル内面８ａをぐるりと一周するように設けられ、この流路７ａには定量止水弁Ｖａを経て給水管９ａから洗浄用の水が給水される旨、記載されている。
【０００３】
このボウル洗浄機能付洗髪台Ｂは、そしてボウル３ａの上縁６ａ直下で、該上縁６ａに沿って設けられた一連の吐水口５ａから、吐水する水をボウル内面８ａに、スダレのように流してやることにより、ボウル３ａに付着した髪の毛を一時に流し去ることができる、あるいは、吐水口５ａから水を少しずつでも流しながら洗髪すれば、髪の毛がボウル３ａに付着すること自体を防止できるという効果が述べられている。
【特許文献１】特開平８−１２６５１６号公報（第１〜２頁、第１図）
【発明の開示】
【発明が解決しようとする課題】
【０００４】
一方、近年、種々のタイプの洗面化粧台が開発され、とくに、上記洗面ボウルの後側の上面を広くとってカウンターとしたもの、バックガードが設けられたもの等、洗面ボウル台回りが大きくとられたものが普及しつつある。そのため、抜け毛や汚れを含んだシャンプーの泡等はボウルの内面のみならず、洗面ボウルのバックガードにも飛び散り、洗面ボウル台回りを汚すという問題がある。本願発明は、上記背景技術に鑑みてなされたものであり、その目的は、洗面ボウルの内面やバックガード等に付着した髪の毛を一時に流し去り、また、洗髪の際の汚れを含むシャンプーの泡等を洗浄することのできる洗浄機能付き洗面ボウル台を提供することである。
【課題を解決するための手段】
【０００５】
上記課題を解決するために、本願請求項１記載の発明にかかる洗浄機能付き洗面ボウル台は、ボウル部と洗浄部とからなる洗浄機能付き洗面ボウル台であって、該洗浄部は上記ボウル部の背面部に連設されるバックガードの上部に一体的に取付けられた噴出部と該噴出部から噴出する洗浄水を制御する制御弁とからなり、洗浄水は上記バックガードの表面に向けて噴出され、流下する洗浄水はバックガードを洗浄し、さらに流下してボウル部の内面を洗浄することを特徴としている。
【０００６】
本願請求項２記載の発明は、上記請求項１に記載の洗浄機能付き洗面ボウル台において、上記ボウル部はその前縁部が手前に膨出して設けられるとともに、左右には各々側縁部が立ち上げて設けられ、後側はカウンター部とされたことを特徴としている。
【０００７】
本願請求項３記載の発明は、上記請求項１に記載の洗浄機能付き洗面ボウル台において、上記ボウル部の背面部に連設されるバックガードの下部には複数のリブが突設されてなることを特徴としている。
【０００８】
本願請求項４記載の発明は、上記請求項３に記載の洗浄機能付き洗面ボウル台において、上記複数のリブの左右外側の各リブは、流下する洗浄水を拡散させるため、ハの字を描くように斜め外方に傾斜して設けられたことを特徴としている。
【０００９】
本願請求項５記載の発明は、上記請求項１に記載の洗浄機能付き洗面ボウル台において、上記噴出部には複数の噴出孔が内設されるとともに、上記制御弁がフラッシュバルブであることを特徴としている。
【発明の効果】
【００１０】
本願請求項１に記載の発明にかかる洗浄機能付き洗面ボウル台は上記のとおりであり、バックガードの上部に取付けられた噴出部から噴出する洗浄水は上記バックガードの表面に向けて噴出され、流下する洗浄水はバックガードを洗浄し、引き続き流下してボウル部の内面を洗浄するため、洗面ボウルの内面やバックガード等に付着した髪の毛を流し去り、また、カウンターに付着した洗髪の際の汚れを含むシャンプーの泡等を洗浄し、流し去ることができる。
【００１１】
本願請求項２に記載の発明にかかる洗浄機能付き洗面ボウル台においては、特に、上記ボウル部はその前縁部が手前に膨出して設けられているため、洗面、洗髪等をする際、使い勝手がよく、快適に洗面ボウル台を使用することができる。また、左右には各々側縁部が立ち上げて設けられているため、洗浄水はボウル部の両サイドから越えることはなく、洗面ボウル台の回りが濡れることを防ぎ、清潔に保つことができる。さらに、後側はカウンター部とされているため、このカウンター部にシャワー用吐水部とシャワー用吐水部への給水量を調節するレバーハンドルを設けることができる。さらに、種々の小物類を置くスペースとしても利用できる。
【００１２】
本願請求項３に記載の発明にかかる洗浄機能付き洗面ボウル台においては、特に、上記ボウル部の背面部に連設されるバックガードの下部に複数のリブを突設することにより、洗浄水が広がってバックガード両サイドから跳び出すことを防ぎ、また、どちらか一方に偏って流下することを防止できる。
【００１３】
請求項４に記載の発明にかかる洗浄機能付き洗面ボウル台においては、特に、上記複数のリブの左右外側の各リブは、流下する洗浄水を拡散させるため、ハの字を描くように斜め外方に傾斜して設けられることにより、洗浄水はバックガードの下部では広がって流れ、バックガードの下部およびカウンター部全体の汚れを万遍なく洗い流すことができる。さらに、ボウル部内に流下し、内面に付着した髪の毛等を一時に流すため、ボウル部内面を手間なく清潔に保つことができる。
【００１４】
請求項５に記載の発明にかかる洗浄機能付き洗面ボウル台においては、特に、噴出部には複数の噴出孔が内設されるとともに、上記制御弁がフラッシュバルブとされているため、例えば、バックガードにおいて噴出部と並べて設けられて操作ボタンを操作することにより、上記フラッシュバルブを簡単に電磁的に操作できる。そして、ワンタッチ動作でコントローラを介して一定量の洗浄水を一定時間流すことにより、手間がかからず、かつ、一時に洗髪後のボウル部内面に付着した髪の毛等を流すことが可能となる。また、上記洗浄水の流出時間、流出量はコントローラの設定を変更することにより、所望の値とすることもできる。
【発明を実施するための最良の形態】
【００１５】
以下、本願発明の洗浄機能付き洗面ボウル台の実施形態について図面を参照して詳細に説明する。図１は、本願発明にかかる洗浄機能付き洗面ボウル台Ａを示す斜視図である。図２は、図１に示すＸ−Ｘ線に沿う部分断面正面図である。図１、図２に示されているように、上記洗浄機能付き洗面ボウル台Ａはオーバーフロー孔２と排水孔３とを有するボウル部１と、上記ボウル部１の背面部に連設され、バックガード４の上部に一体的に取付けられた噴出部５と該噴出部５から噴出する洗浄水の流量等を制御する図外制御弁とからなり、上記バックガード４は庇部４１を有している。
【００１６】
図１に示されるように、上記ボウル部１の前縁部１１は洗面、洗髪等をする際、使い勝手がよくなるように手前に膨出し、左右には各々側縁部１２が立ち上げて設けられ、後側はカウンター部１３とされている。このカウンター部１３の後面はボウル部１の背面部を構成し、この背面部にバックガード４が連設されるとともに、上記カウンター部１３のフラット部には、シャワー用吐水部８とシャワー用吐水部８への給水量を調節するレバーハンドル８１とが設けられている。
【００１７】
上記噴出部５には後記する噴出孔が内設され、この噴出孔から洗浄水が噴出←し、噴出した洗浄水はバックガード４の下部に突設された複数のリブ７によって整流および拡散され、下方に流下される。この洗浄水の噴出量、噴出時間等は、予め、図外コントローラに入力された値に設定され、噴出部５と並べて設けられた操作ボタン６を操作することによって、所定時間、所定流量の洗浄水が噴出する。また、図１、図２に示されるように、上記複数のリブ７のうち、左右、外側の各リブ７１はハの字を描くように斜め外方に傾斜して設けられている。
【００１８】
図３は、本願発明にかかる洗浄機能付き洗面ボウル台Ａを示す部分縦断面図である。図３に示されているように、噴出部５には、複数の噴出孔５１が内設され、上記噴出孔５１はバックガード４に向けて水が噴出されるように内側に傾いて設けられている。また、バックガード４の内部には洗浄水給水管９が貫入され、この洗浄水給水管９にはフラッシュバルブＶを介して給水される。上記フラッシュバルブＶは、操作ボタン６の操作によりコントロ−ラＣに設定された時間だけ開き、一定量の水が一定時間、洗浄水給水管９から上記複数の噴出孔５１に給水され、洗浄水として噴出する。
【００１９】
図４は、上記洗浄機能付き洗面ボウル台Ａにおいて、噴出部５からの洗浄水の流れを示す説明図である。上記したようにフラッシュバルブＶから、一定時間、一定量の水が給水され、噴出孔５１からバックガード４に向けて、一時に洗浄水が噴出する。噴出した洗浄水はバックガード４の平面をまず洗浄し、上からバックガード４の汚れを洗い落としながら流下する。
【００２０】
このとき流下する洗浄水は、バックガード４に突設されたリブ７とハの字を描くように斜め外方に傾斜して突設された外側の各リブ７１によって整流および拡散される。すなわち、中央部のリブ７は略垂直に流下する洗浄水を整流するとともに、ハの字を描くように設けられた左右外側のリブ７１により洗浄水は広がって流れ、カウンター部１３の汚れを落とす。
【００２１】
カウンター部１３を流れた洗浄水は、さらに、左右各側縁部１２を洗浄し、ボウル部１に流入し、その内面を洗浄する。このとき、上記左右各側縁部１２は立ち上げて設けられているため、洗浄水はボウル部１の側縁部１２から外へ越えることはなく、ボウル部１の周囲を清潔に保つことができる。
【００２２】
上記のようにして、バックガード４、カウンター部１３、ボウル部１の内面を洗浄した洗浄水は、髪の毛や汚れと共に排水孔３から排出される。通常、排水孔３は、図外ヘアキャッチャーを備えているため、抜け毛等はヘアキャッチャーで捕捉され、汚水のみが排水される。
【００２３】
上記実施形態においては、洗浄水が単なる水の場合について述べたが、水のみならず、水道水に洗浄剤を混合して用いてもよい。また、上記リブ７は中央から外側に向けて徐々に傾斜角度が大きくなるようにしてもよい。このように、本発明は設計変更自在であり、特許請求の範囲を逸脱しない限り、いずれも本発明の技術的範囲に属する。
【図面の簡単な説明】
【００２４】
【図１】本願発明にかかる洗浄機能付き洗面ボウル台を示す斜視図。
【図２】図１に示すＸ−Ｘ線に沿う部分断面正面図。
【図３】本願発明にかかる洗浄機能付き洗面ボウル台を示す部分縦断面図。
【図４】本願発明にかかる洗浄機能付き洗面ボウル台において、噴出部からの洗浄水の流れを示す説明図。
【図５】公知のボウル洗浄機能付洗髪台を示す側面断面図。
【符号の説明】
【００２５】
Ａ      本願発明にかかる洗浄機能付き洗面ボウル台
Ｃ      コントローラ
Ｖ      フラッシュバルブ
１      ボウル部
１１    前縁部
１２    側縁部
１３    カウンター部
２      オーバーフロー孔
３      排水孔
４      バックガード
４１    庇部
５      噴出部
５１    噴出孔
６      操作ボタン
７      リブ
７１    外側リブ
８      シャワー用吐水部
８１    レバーハンドル
９      洗浄水給水管
Ｂ      公知のボウル洗浄機能付洗髪台
Ｖａ    上記における定量止水弁
１ａ    上記におけるシャワー
２ａ    上記におけるシャワーオン−オフ用バルブ
３ａ    上記におけるボウル
３１ａ  上記におけるオーバーフロー孔
４ａ    上記におけるボウル上面
５ａ    上記における吐水口
６ａ    上記におけるボウルの上縁
７ａ    上記におけるボウルの上縁内部の流路
８ａ    上記におけるボウル内面
９ａ    上記における給水管
【図１】
2009100907.tif 000003
【図２】
2009100907.tif 000004
【図３】
2009100907.tif 000005
【図４】
2009100907.tif 000006
【図５】
2009100907.tif 000007